(57)【特許請求の範囲】
【請求項１】
原稿台に載置された原稿を給紙する給紙手段と、該給紙手段に駆動力を伝達する駆動軸と、を備え、原稿搬送路に対して上方に配設されるとともに、前記駆動軸を軸方向に移動することにより本自動原稿搬送装置の装置本体に着脱自在に支持される自動原稿搬送装置の給紙機構において、
前記駆動軸に回動自在に支持され、前記駆動軸の軸方向の移動を規制する規制位置と該規制を解除する解除位置とに回動する規制手段を備えたことを特徴とする自動原稿搬送装置の給紙機構。
【請求項２】
前記装置本体に開閉自在に装着されたカバー部材を閉めることにより、前記規制手段が前記規制位置に回動するようにしたことを特徴とする請求項１記載の自動原稿搬送装置の給紙機構。
【発明の詳細な説明】
【０００１】
【発明の属する技術分野】
本発明は、自動原稿搬送装置の給紙機構に関し、詳しくは、駆動軸を軸方向に移動することにより自動原稿搬送装置の装置本体に着脱自在に支持される自動原稿搬送装置の給紙機構に関する。
【０００２】
【従来の技術】
従来、複写機、ファクシミリ装置、スキャナ装置等に適用される自動原稿搬送装置においては、原稿台に載置された原稿を１枚ずつ分離し、原稿搬送路に沿って画像読取部に搬送した後、画像の読み取りが終了した原稿を排紙台に排出するようになされたものがある。近時、この種の自動原稿搬送装置においては、装置の多機能化、高速化とともに、より一層の省スペース化が要求されるようになっている。
【０００３】
このような要求を満足するために、自動原稿搬送装置においては、原稿台に載置された原稿を１枚ずつ分離した後、搬送経路を介して画像読取部に搬送するターン給紙を行なうようになされたものがあり、このような構成を採用することによって装置の原稿搬送方向の省スペース化を実現するようになっている。
【０００４】
ところで、このようなターン給紙においては、原稿面を上向きにした原稿を原稿台に載置することから、原稿を給紙する給紙手段としての繰り出しローラ及び給紙ベルトを原稿搬送路に対して上方に設けるようになっており、繰り出しローラによって原稿を繰り出した後、給紙方向に周回移動する給紙ベルトと、原稿搬送路に対して下方に設けられ、給紙ベルトに摺接して分離方向に回転する分離ローラとによって原稿を１枚ずつ分離するようになっている。
【０００５】
そして、この繰り出しローラ及び給紙ベルトは、汚れや摩耗等により定期的に交換する必要があるため、交換作業を効率良く行なうことができるように自動原稿搬送装置に対して簡単に着脱できる構成となっている。このような自動原稿搬送装置の給紙機構としては、図９に示すような、駆動軸を軸方向に移動することにより自動原稿搬送装置の装置本体に着脱自在に支持される給紙機構２００が知られている。
【０００６】
図９において、給紙機構２００は、自動原稿搬送装置の装置本体２０１に設けられた駆動機構２０２に連結される駆動軸２０３を有している。この駆動軸２０３の一端部には、駆動機構２０２のピン２０４に係合する係合部２０５が設けられており、この係合部２０５を介して駆動機構２０２から駆動軸２０３に駆動力が伝達されるようになっている。
【０００７】
駆動軸２０３には、駆動軸２０３に回動自在に支持されるブラケット２０６が配設されており、このブラケット２０６の内側には、給紙ベルト２０７及び繰り出しローラ２０８が配設されている。給紙ベルト２０７は、駆動軸２０３に取り付けられた駆動ローラと給紙ベルト２０７の周回移動に連れ回りする従動ローラとに張架されるようになっている。繰り出しローラ２０８は、ギア、ベルト等からなる駆動部材を介して駆動軸２０３に連結され、駆動ローラに連動して同方向に回転するようになっている。
【０００８】
駆動軸２０３の他端部には、装置本体２０１に形成された開口部２０９に係合する軸受部２１０が、駆動軸２０３に移動自在に設けられている。この軸受部２１０は、スプリング２１１によって駆動軸２０３の他端部側に付勢されるとともに駆動軸２０３の他端部に設けられた図示しないＥリングによって係止され、駆動軸２０３から抜け出ないように構成されている。
【０００９】
駆動軸２０３のブラケット２０６を挟んだ両側には、駆動軸２０３に回動自在に支持される給紙ガイド２１２、２１３が設けられている。この給紙ガイド２１２、２１３は、原稿搬送路の一部を構成しており、装置本体２０１に設けられた図示しない下側ガイド板との間で原稿をガイドするようになっている。
【００１０】
以上のような構成を備えた給紙機構２００を自動原稿搬送装置の装置本体２０１に取り付けるときには、まず、軸受部２１０を開口部２０９に斜め上方から挿入し、スプリング２１１の付勢力に抗して駆動軸２０３を軸方向である他端部側に移動させる。このとき、駆動軸２０３が開口部２０９内に所定の長さだけ進入することから、駆動機構２０２と駆動軸２０３の一端部との間に一定の距離が確保される。次に、軸受部２１０を支点にして駆動軸２０３を水平にし、駆動軸２０３を軸方向である一端部側に移動させる。そして、駆動軸２０３の係合部２０５を駆動機構２０２のピン２０４に係合させることにより、給紙機構２００を装置本体２０１に取り付ける。このとき、軸受部２１０がスプリング２１１によって付勢されることにより、駆動軸２０３が駆動機構２０２に確実に連結される。
【００１１】
また、給紙機構２００を自動原稿搬送装置の装置本体２０１から取り外すときには、まず、スプリング２１１の付勢力に抗して駆動軸２０３を軸方向である他端部側に移動させる。このとき、駆動軸２０３が開口部２０９内に所定の長さだけ進入することから、駆動機構２０２と駆動軸２０３の一端部との間に一定の距離が確保され、駆動軸２０３の係合部２０５が駆動機構２０２のピン２０４から抜け出る。そして、軸受部２１０を支点にして駆動軸２０３を斜め上方に向け、軸受部２１０を開口部２０９から抜き出すことにより、給紙機構２００を装置本体２０１から取り外す。
【００１２】
ところで、この種の給紙機構２００は、自動原稿搬送装置に対して簡単に着脱できるように、スプリング２１１の付勢力だけで装置本体２０１に支持される構成になっているため、例えば、輸送時や操作時に、不測の外力により装置本体２０１から脱落し易いものであった。そこで、従来の給紙機構２００においては、図１０（ａ）、（ｂ）に示すように、駆動軸２０３の軸方向の移動を規制するストッパ部材２１４を設け、このストッパ部材２１４を駆動軸２０３の軸受部２１０と給紙ガイド２１２との間に装着することにより、装置本体２０１からの脱落を防止するようになっている。
【００１３】
【発明が解決しようとする課題】
しかしながら、上記従来の自動原稿搬送装置の給紙機構においては、ストッパ部材を給紙機構とは別に設けて給紙機構に装着するようになっているため、ストッパ部材の装着忘れや紛失が起こり易いという問題があった。また、ストッパ部材が未装着の場合には、装置本体からの脱落を防止することができないという問題があった。
【００１４】
本発明は、このような問題を解決するために、駆動軸の軸方向の移動を確実に規制することができ、装置本体からの脱落を防止することができる自動原稿搬送装置の給紙機構を提供することを目的とするものである。
【００１５】
【課題を解決するための手段】
上記の課題を解決するために、本発明の自動原稿搬送装置の給紙機構は、原稿台に載置された原稿を給紙する給紙手段と、該給紙手段に駆動力を伝達する駆動軸と、を備え、原稿搬送路に対して上方に配設されるとともに、前記駆動軸を軸方向に移動することにより本自動原稿搬送装置の装置本体に着脱自在に支持される自動原稿搬送装置の給紙機構において、前記駆動軸に回動自在に支持され、前記駆動軸の軸方向の移動を規制する規制位置と該規制を解除する解除位置とに回動する規制手段を備えたことを特徴とするものである。この自動原稿搬送装置の給紙機構では、駆動軸に回動自在に支持された規制手段が駆動軸の軸方向の移動を規制するので、簡単な機構で確実に駆動軸の軸方向の移動を規制することができ、装置本体からの給紙機構の脱落を防止することができる。
【００１６】
また、本発明の自動原稿搬送装置の給紙機構は、前記装置本体に開閉自在に装着されたカバー部材を閉めることにより、前記規制手段が前記規制位置に回動するようにしたことを特徴とするものである。この自動原稿搬送装置の給紙機構では、規制手段がカバー部材の閉動に伴って確実に規制位置に回動するので、給紙機構の装着不良を防止することができる。
【００１７】
【発明の実施の形態】
以下、本発明の好ましい実施形態を図面に基づいて説明する。
【００１８】
図１〜７は、本発明の第１実施形態に係る自動原稿搬送装置の給紙機構を示す図である。なお、本実施形態では、本発明に係る自動原稿搬送装置を複写機に適用した実施形態を示しているが、複写機の他にファクシミリ装置、スキャナ装置のように画像読取部を備えた画像読取装置に適用することができる。
【００１９】
まず、本実施形態に係る自動原稿搬送装置を備えた複写機の構成を説明する。
【００２０】
図１において、複写機１００の上部に設けられた自動原稿搬送装置１０１は、原稿台１０２に載置された原稿１０３を１枚ずつ分離し、原稿搬送路１０４に沿って画像読取部１０５に搬送した後、画像の読み取りが終了した原稿１０３を排紙台１０６に排出するようになっている。
【００２１】
この自動原稿搬送装置１０１は、筐体等からなる装置本体１１０と、この装置本体１１０に開閉自在に装着されたカバー部材１１１と、原稿面を上向きにして原稿１０３を載置する原稿台１０２と、給紙ベルト１１２及び繰り出しローラ１１３を有し原稿台１０２に載置された原稿１０３を給紙する給紙手段である給紙ユニット１１４と、この給紙ユニット１１４に駆動力を伝達する駆動軸１１５と、原稿搬送路１０４に対して下方に設けられ給紙ベルト１１２に摺接して原稿１０３を１枚ずつ分離する分離ローラ１１６と、原稿１０３の通過を検知する先端検知センサ１１７、１１８、１１９、１２０と、原稿１０３の位置を補正するとともに原稿１０３を挟持して所定方向に搬送する搬送ローラ対１２１と、読取位置Ａに給紙された原稿１０３の画像を読み取るスキャナからなる画像読取部１０５と、この画像読取部１０５に原稿１０３を給排紙する搬送ドラム１２２及び加圧ローラ１２３、１２４、１２５と、画像の読み取りが終了した原稿１０３を挟持して装置外部に排出する排紙ローラ対１２６と、原稿の反転動作を行う原稿反転部１２７と、排出された原稿１０３を積載する排紙台１０６と、を備えている。なお、給紙ユニット１１４及び駆動軸１１５は、本発明における給紙機構１３０を構成しており、この給紙機構１３０は、原稿搬送路１０４に対して上方に配設されるとともに、駆動軸１１５を軸方向に移動することにより自動原稿搬送装置１０１の装置本体１１０に着脱自在に支持されるようになっている。
【００２２】
この給紙機構１３０は、図２に示すように、自動原稿搬送装置１０１の装置本体１１０である前側板１３１に設けられた駆動機構１３２に連結される駆動軸１１５を有している。この駆動軸１１５の一端部には、駆動機構１３２のピン１３３に係合する係合部１３４が設けられており、この係合部１３４を介して駆動機構１３２から駆動軸１１５に駆動力が伝達されるようになっている。
【００２３】
駆動軸１１５には、駆動軸１１５に回動自在に支持されるブラケット１３５が配設されており、このブラケット１３５の内側には、給紙ベルト１１２及び繰り出しローラ１１３が配設されている。給紙ベルト１１２は、図３に示すように、駆動軸１１５に取り付けられた駆動ローラ１３６と給紙ベルト１１２の周回移動に連れ回りする従動ローラ１３７とに張架されるようになっている。繰り出しローラ１１３は、ギア、ベルト等からなる駆動部材を介して駆動軸１１５に連結され、駆動ローラ１３６に連動して同方向に回転するようになっている。
【００２４】
駆動軸１１５の他端部には、装置本体１１０である前側板１３１に形成された開口部１３８に係合する軸受部１３９が、駆動軸１１５に移動自在に設けられている。この軸受部１３９は、スプリング１４０によって駆動軸１１５の他端部側に付勢されるとともに駆動軸１１５の他端部に設けられた図示しないＥリングによって係止され、駆動軸１１５から抜け出ないように構成されている。
【００２５】
駆動軸１１５のブラケット１３５を挟んだ両側には、駆動軸１１５に回動自在に支持される給紙ガイド１４１、１４２が設けられている。この給紙ガイド１４１、１４２は、図３に示すように、原稿搬送路１０４の一部を構成しており、装置本体１１０に設けられた下側ガイド板１４３との間で原稿１０３をガイドするようになっている。また、駆動軸１１５の他端部側に配設された給紙ガイド１４１の外側端部には、図４に示すように、前側板１３１に係止する規制部１４４が設けられており、この規制部１４４が前側板１３１に係止することによって駆動軸１１５の軸方向の移動を規制するようになっている。また、給紙ガイド１４１は、図４に示すように、規制部１４４が前側板１３１に係止して駆動軸１１５の軸方向の移動を規制する規制位置Ｘと、図５に示すように、規制部１４４が前側板１３１から離隔して駆動軸１１５の移動の規制を解除する解除位置Ｙとに回動するようになっている。なお、給紙ガイド１４１は、本発明における規制手段を構成している。
【００２６】
また、給紙ガイド１４１は、図６に示すように、カバー部材１１１を開けた状態から、図７に示すように、カバー部材１１１を閉めた状態にすることにより、カバー部材１１１に形成されたリブ１４５に押下され、解除位置Ｙから規制位置Ｘに回動するようになっている。
【００２７】
次に、本実施形態に係る自動原稿搬送装置の給紙機構の着脱動作について説明する。
【００２８】
給紙機構１３０を装置本体１１０に取り付けるときには、まず、カバー部材１１１を開け、次に、規制部１４４を原稿セット面上方に向けながら、軸受部１３９を開口部１３８に斜め上方から挿入し、スプリング１４０の付勢力に抗して駆動軸１１５を軸方向である他端部側に移動させる。このとき、駆動軸１１５が開口部１３８内に所定の長さだけ進入することから、駆動機構１３２と駆動軸１１５の一端部との間に一定の距離が確保される。次に、軸受部１３９を支点にして駆動軸１１５を水平にし、駆動軸１１５を軸方向である一端部側に移動させる。次に、駆動軸１１５の係合部１３４を駆動機構１３２のピン１３３に係合させることにより、給紙機構１３０を装置本体１１０に取り付ける。このとき、軸受部１３９がスプリング１４０によって付勢されることにより、駆動軸１１５が駆動機構１３２に確実に連結される。次に、給紙ガイド１４１を解除位置Ｙから規制位置Ｘに回動することにより、規制部１４４を前側板１３１に係止して駆動軸１１５の軸方向の移動を規制する。そして、カバー部材１１１を閉める。このとき、オペレータが給紙ガイド１４１を規制位置Ｘに回動することを忘れた場合でも、カバー部材１１１を閉めることにより、給紙ガイド１４１がカバー部材１１１に形成されたリブ１４５に押下され、解除位置Ｙから規制位置Ｘに回動する。
【００２９】
また、給紙機構１３０を装置本体１１０から取り外すときには、まず、カバー部材１１１を開け、次に、給紙ガイド１４１を規制位置Ｘから解除位置Ｙに回動することにより、規制部１４４を前側板１３１から離隔して駆動軸１１５の移動の規制を解除する。次に、スプリング１４０の付勢力に抗して駆動軸１１５を軸方向である他端部側に移動させる。このとき、駆動軸１１５が開口部１３８内に所定の長さだけ進入することから、駆動機構１３２と駆動軸１１５の一端部との間に一定の距離が確保され、駆動軸１１５の係合部１３４が駆動機構１３２のピン１３３から抜け出る。そして、軸受部１３９を支点にして駆動軸１１５を斜め上方に向け、軸受部１３９を開口部１３８から抜き出すことにより、給紙機構１３０を装置本体１１０から取り外す。
【００３０】
このように、本実施形態では、駆動軸１１５に回動自在に支持された給紙ガイド１４１が前側板１３１に係止して駆動軸１１５の軸方向の移動を規制するので、簡単な機構で確実に駆動軸１１５の軸方向の移動を規制することができ、装置本体１１０からの給紙機構１３０の脱落を防止することができる。
【００３１】
また、本実施形態では、給紙機構１３０自体に規制手段である給紙ガイド１４１を設けたので、給紙機構１３０を着脱するときに、規制手段の装着忘れや紛失を防止することができる。
【００３２】
また、本実施形態では、給紙機構１３０を交換するときに、オペレータが給紙ガイド１４１を規制位置Ｘに回動することを忘れた場合でも、給紙ガイド１４１がカバー部材１１１の閉動に伴って確実に規制位置Ｘに回動するので、給紙機構１３０の装着不良を防止することができる。
【００３３】
なお、本実施形態では、給紙機構１３０を、コンタクトガラス上を通過する原稿１０３の画像を画像読取部１０５が定位置で読み取る、いわゆるシートスルー方式の自動原稿搬送装置に適用するようになっているが、コンタクトガラス上に停止する原稿の画像を画像読取部が移動しながら読み取る方式の自動原稿搬送装置に適用してもよい。
【００３４】
図８は、本発明の第２実施形態に係る自動原稿搬送装置の給紙機構を示す図である。なお、本実施形態では、規制手段の構成が第１実施形態と異なるだけで、その他の構成は同一であるため、同一部材には同一番号を付して構成の特徴部分だけを説明する。
【００３５】
図８において、駆動軸１１５の他端部側に配設された給紙ガイド１４１の外側端部１５０は、前側板１３１に形成されたＬ字状の突出部１５１に係止するようになっており、この外側端部１５０が突出部１５１に係止することによって駆動軸１１５の軸方向の移動を規制するようになっている。また、給紙ガイド１４１は、外側端部１５０が突出部１５１に係止して駆動軸１１５の軸方向の移動を規制する規制位置Ｘと、外側端部１５０が突出部１５１から離隔して駆動軸１１５の移動の規制を解除する解除位置Ｙとに回動するようになっている。
【００３６】
このように、本実施形態でも第１実施形態と同様に、駆動軸１１５に回動自在に支持された給紙ガイド１４１が前側板１３１に係止して駆動軸１１５の軸方向の移動を規制するので、簡単な機構で確実に駆動軸１１５の軸方向の移動を規制することができ、装置本体１１０からの給紙機構１３０の脱落を防止することができる。
【００３７】
【発明の効果】
以上説明したように、本発明によれば、駆動軸の軸方向の移動を確実に規制することができ、装置本体からの脱落を防止することができる自動原稿搬送装置の給紙機構を提供することができる。
【図面の簡単な説明】
【図１】本発明の一実施形態に係る自動原稿搬送装置を備えた複写機の概略側面図である。
【図２】本発明の一実施形態に係る自動原稿搬送装置の給紙機構の斜視図である。
【図３】本発明の一実施形態に係る自動原稿搬送装置の給紙機構の側面図である。
【図４】本発明の一実施形態に係る自動原稿搬送装置の給紙機構の要部斜視図である。
【図５】本発明の一実施形態に係る自動原稿搬送装置の給紙機構の要部斜視図である。
【図６】本発明の一実施形態に係る自動原稿搬送装置の給紙機構の側面図である。
【図７】本発明の一実施形態に係る自動原稿搬送装置の給紙機構の側面図である。
【図８】本発明の一実施形態に係る自動原稿搬送装置の給紙機構の要部斜視図である。
【図９】従来の自動原稿搬送装置の給紙機構の斜視図である。
【図１０】（ａ）は従来のストッパ部材の斜視図、（ｂ）は従来のストッパ部材を装着した給紙機構の要部側面図である。
【符号の説明】
１０１  自動原稿搬送装置
１０４  原稿搬送路
１１０  装置本体
１１１  カバー部材
１１２  給紙ベルト
１１３  繰り出しローラ
１１４  給紙ユニット（給紙手段）
１１５  駆動軸
１３０  給紙機構
１３１  前側板
１３４  係合部
１３５  ブラケット
１３６  駆動ローラ
１３７  従動ローラ
１３９  軸受部
１４０  スプリング
１４１、１４２  給紙ガイド（規制手段）
１４４  規制部
１４５  リブ
１５０  外側端部
１５１  突出部
Ｘ  規制位置
Ｙ  解除位置
【図１】
0003871881.tif 000002
【図２】
0003871881.tif 000003
【図３】
0003871881.tif 000004
【図４】
0003871881.tif 000005
【図５】
0003871881.tif 000006
【図６】
0003871881.tif 000007
【図７】
0003871881.tif 000008
【図８】
0003871881.tif 000009
【図９】
0003871881.tif 000010
【図１０】
0003871881.tif 000011